(57)【要約】【課題】クラックの発生を防止でき、かつ強度に優れたパネルを提供する。【解決手段】湾曲部３１の端縁部３５から、湾曲部３１における主板部２１の裏面２３と連続する面３３側へ折り返されてなり、かつ対向する湾曲部３１の表面３２と連続する面４２が凸となる湾曲形状の折り返し部４１を備えているパネル２０は、湾曲部３１の端縁部３５の屈曲度合いが減少するためにクラックの発生を防止でき、湾曲部３１と折り返し部４１が全体的に湾曲した形状となり、いわゆる卵殻形状となるため強度が向上する。【選択図】図２
2018145758.tif 000002
【特許請求の範囲】
【請求項１】
所定位置に設置された支持杆に交差状に取り付けられる長尺状のパネルであって、
表面と裏面とを有する長尺で平板状の主板部と、
前記主板部の短手方向における両端部から共に前記主板部の裏面側に突出するように延出形成されてなり、かつ前記主板部の表面と連続する面が凸となるような湾曲形状をなす一対の湾曲部と、
を具備し、前記一対の湾曲部間に、前記支持杆に設けられた嵌合部が嵌合するものであり、
さらに、前記湾曲部の端縁部から、前記湾曲部における前記主板部の裏面と連続する面側へ折り返されてなり、かつ、対向する前記湾曲部における表面と連続する面が凸となる湾曲形状の折り返し部を備えている
ことを特徴とするパネル。
【請求項２】
請求項１に記載のパネルと、前記パネルが取り付けられた前記支持杆とを備えるパネル組立構造であって、
前記支持杆における前記嵌合部の外周縁には、前記パネルの前記折り返し部の端縁に対向する爪部が設けられている
ことを特徴とするパネル組立構造。
【発明の詳細な説明】
【技術分野】
【０００１】
本発明は、支持杆に交差状に取り付けられることによって領域を区画するパネル及び該パネルを用いたパネル組立構造に関する。
【背景技術】
【０００２】
従来から、例えば特許文献１に開示されているような、両側に曲折部（湾曲部）を連続して設けた断面Ｃ形状で細長状の複数枚のパネル素子（パネル）と、パネル素子の断面Ｃ形状に対応する複数の凸部（嵌合部）を所定間隔で有する少なくとも一対の配列材（支持杆）とを交差状に組み合わせ、且つ、配列材の各凸部に各パネル素子を嵌め込み、全体で所望面積のパネルを形成するパネル素子の組立構造があった。
【０００３】
また、上記のような構成にあって、例えば特許文献２に開示されているような、湾曲部の端縁部に折り返し部を設けたゲートパネル（パネル）もあった。
【先行技術文献】
【特許文献】
【０００４】
【特許文献１】特開平６−３３０６６０号公報
【特許文献２】意匠登録第１４６８１５２号公報
【発明の概要】
【発明が解決しようとする課題】
【０００５】
しかしながら、上記特許文献２の構成にあっては、前記折り返し部が前記湾曲部の湾曲形状に沿って折り曲げられているために、湾曲部と折り返し部との境界部分においてクラック（ヒビ割れ）が発生しやすいという問題があった。また、パネル全体が、ねじれるような外力に対して弱いという問題があった。
【０００６】
そこで本発明は、クラックの発生を防止でき、かつ強度に優れたパネルを提供することを目的とする。
【０００７】
また本発明は、前記パネルを用いたパネル組立構造を提供することを目的とする。
【課題を解決するための手段】
【０００８】
本発明は、所定位置に設置された支持杆に交差状に取り付けられる長尺状のパネルであって、表面と裏面とを有する長尺で平板状の主板部と、前記主板部の短手方向における両端部から共に前記主板部の裏面側に突出するように延出形成されてなり、かつ前記主板部の表面と連続する面が凸となるような湾曲形状をなす一対の湾曲部と、を具備し、前記一対の湾曲部間に、前記支持杆に設けられた嵌合部が嵌合するものであり、さらに、前記湾曲部の端縁部から、前記湾曲部における前記主板部の裏面と連続する面側へ折り返されてなり、かつ、対向する前記湾曲部における表面と連続する面が凸となる湾曲形状の折り返し部を備えていることを特徴とするパネルである。
【０００９】
かかる構成にあっては、前記折り返し部が設けられることによってパネルの剛性が強くなる。また、前記折り返し部を支持杆の嵌合部に引っ掛けて、意図しないパネルの脱落を防止できる効果も得られる。さらに、パネルの端部で手を切る等の心配がなく、安全性に優れるという効果も得られる。加えて、前記湾曲部と前記折り返し部との境界部で、屈曲の度合いが減少するために、当該境界部においてクラックの発生を抑制することができる。また、前記湾曲部及び前記折り返し部が連続する領域全体が湾曲形状となり、いわゆる卵殻形状で構成されるため、パネルの長手方向に沿った軸を基準としたねじれに対して強度が飛躍的に向上する。
【００１０】
また本発明は、前記パネルと、前記パネルが取り付けられた前記支持杆とを備えるパネル組立構造であって、前記支持杆における前記嵌合部の外周縁には、前記パネルの前記折り返し部の端縁に対向する爪部が設けられていることを特徴とするパネル組立構造である。
【００１１】
かかる構成にあっては、前記折り返し部が前記爪部に引っ掛かることで、意図しないパネルの脱落を防止することができる。
【発明の効果】
【００１２】
本発明のパネルは、クラックの発生を防止でき、かつ強度に優れる効果がある。
【００１３】
また、本発明のパネル組立構造は、パネルの脱落を防止できる優れた効果がある。
【図面の簡単な説明】
【００１４】
【図１】実施例にかかるパネル組立構造の説明図である。
【図２】実施例にかかるパネルを示し、（ａ）は正面図、（ｂ）は右側面図である。
【図３】実施例にかかるパネルの折り返し部を示す説明図である。
【図４】実施例にかかるパネル組立構造の部分拡大断面図である。
【発明を実施するための形態】
【００１５】
以下、本発明のパネル及びパネル組立構造を具体化した実施例を詳細に説明する。なお、本発明は、下記に示す実施例に限定されることはなく、適宜設計変更が可能である。
【００１６】
図１に示すように、パネル組立構造１は、例えば地面等の床面に埋設されて起立する支持杆１０と、支持杆１０に交差状に取り付けられる長尺状のパネル２０と、を備えている。
【００１７】
支持杆１０は、図１に示すように、横断面が略コの字形状の本体部１１を有し、本体部１１の端部には、嵌合部１２が鉛直方向に複数列設されている。
【００１８】
また、パネル２０は、図２に示すように、表面２２と裏面２３とを有する長尺で平板状の主板部２１を有している。また、主板部２１の短手方向における両端部からは、主板部２１の表面２２と連続する面である表面３２が凸となるような湾曲形状をなす一対の湾曲部３１，３１が、主板部２１の裏面２３側に突出するように延出形成されている。
【００１９】
さらに、一対の湾曲部３１，３１の各々の端縁部３５からは、折り返し部４１が設けられている。さらに詳述すると、折り返し部４１は、湾曲部３１における主板部２１の裏面２３と連続する裏面３３側へ折り返されていると共に、対向する湾曲部３１の表面３２と連続する面である表面４２が凸となる湾曲形状をなしている。
【００２０】
図３に従って、折り返し部４１の形状をさらに詳述すると、湾曲部３１と折り返し部４１との間には、湾曲部３１と折り返し部４１とによって囲まれたいわゆる卵殻形状を有する空隙Ｓが形成されており、外観全体として湾曲部３１と折り返し部４１とによって卵殻形状となっている。
【００２１】
したがって、湾曲部３１と折り返し部４１との境界部である端縁部３５において、屈曲の度合いが緩和され、これによってクラックが発生してしまうことを防止できる。
【００２２】
また、湾曲部３１と折り返し部４１とによって形成される卵殻形状によって、パネル２０の長手方向に沿った軸を基準としたねじれに対する強度が飛躍的に向上する。
【００２３】
また本実施例におけるパネル組立構造１にあっては、図１，４に示すように、パネル２０の一対の湾曲部３１，３１間を、支持杆１０に設けられた嵌合部１２に押し当てることで、支持杆１０にパネル２０が取り付けられるところ、支持杆１０に設けられた嵌合部１２の外周縁には、パネル２０の折り返し部４１の端縁部４５に対向する１対の爪部１３，１３が設けられている。
【００２４】
そして、相互を嵌合させる際は、パネル２０の湾曲部３１と折り返し部４１との境界部を、支持杆１０の嵌合部１２における湾曲面１４に沿わせながらパネル２０を嵌合部１２に圧着し、一対の湾曲部３１間を広げながら湾曲部３１間に嵌合部１２を嵌め込む。そして、この嵌め込まれた状態では、爪部１３が折り返し部４１の端縁４５に引っ掛かることにより、パネル２０の抜脱が防止される。なお、パネル２０において、湾曲部３１と折り返し部４１との境界部は、当該湾曲部３１における主板部２１側の端部よりも外側寄りに配置されており、嵌め込み作業が円滑に実行できる構成となっている。
【００２５】
なお、支持杆１０にパネル２０を取り付けた状態で、パネル２０の折り返し部４１と支持杆１０の爪部１３とは必ずしも常時接触している必要はない。例えば、折り返し部４１と爪部１３との間に、パネル２０の微変形を許容するいわゆる遊び（間隙）が設けられていても勿論良い。
【００２６】
一方、折り返し部４１と爪部１３とを互いに常時接触させた構成することにより、パネル２０のがたつきを抑制したり、振動時の異音を低減したりすることができる。
【００２７】
本発明にあっては、各部の寸法形状は適宜自由に選択可能である。
【００２８】
また、パネル２０及び支持杆１０は、ステンレススチール（ＳＵＳ）等の金属製であってもよいし、合成樹脂製であってもよい。
【００２９】
また、パネル２０の主板部２１の表面２２や湾曲部３１の表面３２に木目等の意匠を施しても構わない。また、パネル組立構造１を外階段等に構築する場合に、パネル２０の主板部２１の裏面２３等にも意匠を施してもよい。
【００３０】
また、パネル２０の表面２２には、例えば防錆塗膜等が形成されていても構わない。
【００３１】
また、空隙Ｓを形成する湾曲部３１及び折り返し部４１の形状寸法も、適宜自由に選択可能である。例えば折り返し部４１の湾曲度合いは図示したものに限らず、より平板形状に近い構造であってもよいし、空隙Ｓが図２に示すような側面視で円に近似するような形状としてもよい。
【００３２】
また、パネル２０の短手方向に沿った折り返し部４１の長さＬ１（図２参照）の、湾曲部３１における前記短手方向に沿った長さＬ２に対する割合は、４０％〜５０％程度の割合で折り返し部４１が形成されていることが望ましく、最も望ましい割合は４３％前後である。
【符号の説明】
【００３３】
１          パネル組立構造
１０        支持杆
１１        本体部
１２        嵌合部
１３        爪部
２０        パネル
２１        主板部
２２        表面
２３        裏面
３１        湾曲部
３２        表面
３３        裏面
３５        端縁部
４１        折り返し部
４２        表面
４５        端縁部
Ｓ          空隙
【図１】
2018145758.tif 000003
【図２】
2018145758.tif 000004
【図３】
2018145758.tif 000005
【図４】
2018145758.tif 000006